(57)【要約】【課題】扁平伝熱管およびコルゲートフィンを備えてなる空気熱交換器において、蒸発器として利用した時のコルゲートフィン部分の水はけ性を向上させる。【解決手段】ヘッダ３Ａ，３Ｂの間に複数本の扁平伝熱管２，２・・・を、それら複数本の扁平伝熱管２，２・・・の間にコルゲートフィン４，４・・・をそれぞれ配設してなる空気熱交換器であって、上記コルゲートフィン４，４・・・の幅を上記扁平伝熱管２，２・・・の幅よりも相対的に大きく形成する一方、同コルゲートフィン４，４・・・の上記扁平伝熱管２，２・・・に対応する部分を切り欠いて上記扁平伝熱管２，２・・・に対応する部分よりも外側の上記扁平伝熱管２，２・・・を介さずに隣合う縁部４ｂ，４ｂ・・・同士を相互に連続させることにより、凝縮水の排出通路を形成した。【選択図】        図１
2008101847.tif 000002
【特許請求の範囲】
【請求項１】
ヘッダ（３Ａ），（３Ｂ）の間に複数本の扁平伝熱管（２），（２）・・・を、それら複数本の扁平伝熱管（２），（２）・・・の間にコルゲートフィン（４），（４）・・・をそれぞれ配設してなる空気熱交換器であって、上記コルゲートフィン（４），（４）・・・の幅を上記扁平伝熱管（２），（２）・・・の幅よりも相対的に大きく形成する一方、同コルゲートフィン（４），（４）・・・の上記扁平伝熱管（２），（２）・・・に対応する部分を切り欠いて上記扁平伝熱管（２），（２）・・・に対応する部分よりも外側の上記扁平伝熱管（２），（２）・・・を介さずに隣合う縁部（４ｂ），（４ｂ）・・・同士を相互に連続させることにより、凝縮水の排出通路を形成したことを特徴とする空気熱交換器。
【請求項２】
ヘッダ（３Ａ），（３Ｂ）の間に複数本の扁平伝熱管（２），（２）・・・を、それら複数本の扁平伝熱管（２），（２）・・・の間にコルゲートフィン（４），（４）・・・をそれぞれ配設してなる空気熱交換器であって、上記扁平伝熱管（２），（２）・・・を空気流の上流側から下流側にかけて２本以上並設するとともに、それら各扁平伝熱管（２），（２）・・・、（２），（２）・・・に対して上記コルゲートフィン（４），（４）・・・を共通な１枚のものとし、かつ上記コルゲートフィン（４），（４）・・・の幅を上記扁平伝熱管（２），（２）・・・、（２），（２）・・・の幅よりも相対的に大きく形成する一方、同コルゲートフィン（４），（４）・・・の上記扁平伝熱管（２），（２）・・・、（２），（２）・・・に対応する部分を切り欠いて上記扁平伝熱管（２），（２）・・・、（２），（２）・・・に対応する部分よりも外側の上記扁平伝熱管（２），（２）・・・、（２），（２）・・・を介さずに隣合う縁部（４ｂ），（４ｂ）・・・同士を相互に連続させることにより、凝縮水の排出通路を形成したことを特徴とする空気熱交換器。
【請求項３】
扁平伝熱管（２），（２）・・・の幅よりも相対的に幅が広くなることにより形成されたコルゲートフィン（４），（４）・・・の扁平伝熱管（２），（２）・・・よりも外側に位置する縁部（４ｂ），（４ｂ）・・・は、当該コルゲートフィン（４），（４）・・・の空気流の下流側にのみ設けられていることを特徴とする請求項１又は２記載の空気熱交換器。
【請求項４】
扁平伝熱管（２），（２）・・・の幅よりも相対的に幅が広くなることにより形成されたコルゲートフィン（４），（４）・・・の扁平伝熱管（２），（２）・・・よりも外側に位置する縁部（４ｂ），（４ｂ）・・・は、当該コルゲートフィン（４），（４）・・・の空気流の上流側と下流側の両方に設けられていることを特徴とする請求項１又は２記載の空気熱交換器。
【発明の詳細な説明】
【技術分野】
【０００１】
この出願の発明は、扁平伝熱管およびコルゲートフィンを備えて構成された空気熱交換器の構造に関するものである。
【背景技術】
【０００２】
扁平伝熱管およびコルゲートフィンを備えた空気熱交換器の全体および各部の構造を、例えば図５〜図８に示す。
【０００３】
該空気熱交換器１は、例えば図５、図６に示すように、冷媒が導入、導出されるパイプ状のヘッダ３Ａ，３Ｂと、該ヘッダ３Ａ，３Ｂ間に連通状態で、かつその長手方向に相互に所定の間隔を保って並設された多数本の扁平伝熱管２，２・・・と、該多数本の扁平伝熱管２，２・・・間の上下方向に波形に屈曲したコルゲーション状態で配設され、その各屈曲面外端を対応する両隣りの扁平伝熱管２，２・・・の扁平伝熱面に熱溶着されたコルゲートフィン（またはルーバーフィン）４，４・・・とからなっている。
【０００４】
上記扁平伝熱管２，２・・・は、例えば図７に示すように、その内側に複数の冷媒流通穴２ａ，２ａ・・・を有する多孔構造となっており、上記一方側（右側）ヘッダ３Ａの上段側冷媒供給部３Ａ1を介して外部より導入分配された冷媒を上段側扁平伝熱管２，２・・・の各冷媒流通穴２ａ，２ａ・・・に均等に流し、上記コルゲートフィン４，４・・・を介して広伝熱面積で内部の冷媒と外部の空気との間で熱交換を行うようになっている。
【０００５】
また他方側（左側）ヘッダ３Ｂを介して返流分配される冷媒は下段側扁平伝熱管２，２・・・の各冷媒流通穴２ａ，２ａ・・・を均等に流れ、同状態において上記コルゲートフィン４，４・・・を介して広伝熱面積で内部の冷媒と外部の空気との間で効率良く熱交換を行うようになっている。
【０００６】
そして、そのようにして上記下段側扁平伝熱管２，２・・・を出た冷媒は、上記一方側（右側）ヘッダ３Ａの下段側冷媒導出部３Ａ2を介して以後の冷媒回路に流出する。
【０００７】
また、上記コルゲートフィン４，４・・・は、例えば図６および図７に示すように、その波形の屈曲部（折り曲げ部）を除く扁平面部分であって、加工上形成される中央の扁平面を中心として空気流の上流側部分と下流側部分の各々に空気との伝熱効率を向上させるための複数の切り起し片（ルーバー）４ａ，４ａ・・・が形成されており、該切り起し片４ａ，４ａ・・・によって可及的に冷媒と空気との間の熱交換性能が高くなるように構成されている（特許文献１，２参照）。
【０００８】
【特許文献１】特開２０００−１５４９８９号公報（明細書１−５頁、図１−３）
【特許文献２】特開２００５−６９５２９号公報（明細書１−５頁、図１−２）
【発明の開示】
【発明が解決しようとする課題】
【０００９】
上述のように、扁平多孔管構造の扁平伝熱管および波形構造のコルゲートフィンを備えたフィンチューブ式の熱交換器は、例えば図５および図７に示されるように、上記扁平伝熱管２，２・・・を横向き（水平）状態に設置した場合には、コルゲートフィン４，４・・・表面の凝縮水がはけにくく、例えば図８に示すように、空気流の上流側から下流側方向に次第に滞留し、通風抵抗を増大させる（ドット部参照）。したがって、蒸発器として利用した場合に、空気側の圧力損失が増大して、伝熱性能が落ちる問題がある。
【００１０】
この出願の発明は、このような課題を解決するためになされたもので、扁平伝熱管の幅に対してコルゲートフィンの幅を相対的に大きくする一方、少なくとも空気流下流側のフィン面上に凝縮水が落ちるように、その扁平伝熱管に対応する部分を切り欠き、扁平伝熱管に対応する部分よりも外側の部分では扁平伝熱管を挟んで上下のコルゲートフィンがつながるようにすることにより、凝縮水の排出性能を向上させて、空気側の熱伝達性能を向上させた空気熱交換器を提供することを目的とするものである。
【課題を解決するための手段】
【００１１】
この出願の各発明は、該目的を達成するために、次のような課題解決手段を備えて構成されている。
【００１２】
（１）  請求項１の発明
この発明の空気熱交換器は、ヘッダ３Ａ，３Ｂの間に複数本の扁平伝熱管２，２・・・を、それら複数本の扁平伝熱管２，２・・・の間にコルゲートフィン４，４・・・をそれぞれ配設してなる空気熱交換器であって、上記コルゲートフィン４，４・・・の幅を上記扁平伝熱管２，２・・・の幅よりも相対的に大きく形成する一方、同コルゲートフィン４，４・・・の上記扁平伝熱管２，２・・・に対応する部分を切り欠いて上記扁平伝熱管２，２・・・に対応する部分よりも外側の上記扁平伝熱管２，２・・・を介さずに隣合う縁部４ｂ，４ｂ・・・同士を相互に連続させることにより、凝縮水の排出通路を形成したことを特徴としている。
【００１３】
このような構成によると、扁平伝熱管２，２・・・の幅よりも相対的に幅が広く、扁平伝熱管２，２・・・よりも外側に位置して相互に連続する隣合うコルゲートフィン４，４・・・の縁部４ｂ，４ｂ・・・上に凝縮水が落ち、同縁部４ｂ，４ｂ・・・を介してドレンパン上にスムーズに排出されるようになる。
【００１４】
したがって、前述のように、上記空気熱交換器１を蒸発器として利用したような場合にも、凝縮水の排出性能がよくなり、圧損が低下するとともに熱伝達性能が向上する。
【００１５】
その結果、当該空気熱交換器１の大きさが大きい時はもちろん、小型化した時にも有効に空気側の伝熱性能を向上させることができる。
【００１６】
（２）  請求項２の発明
この発明の空気熱交換器は、ヘッダ３Ａ，３Ｂの間に複数本の扁平伝熱管２，２・・・を、それら複数本の扁平伝熱管２，２・・・の間にコルゲートフィン４，４・・・をそれぞれ配設してなる空気熱交換器であって、上記扁平伝熱管２，２・・・を空気流の上流側から下流側にかけて２本以上並設するとともに、それら各扁平伝熱管２，２・・・、２，２・・・に対して上記コルゲートフィン４，４・・・を共通な１枚のものとし、かつ上記コルゲートフィン４，４・・・の幅を上記扁平伝熱管２，２・・・、２，２・・・の幅よりも相対的に大きく形成する一方、同コルゲートフィン４，４・・・の上記扁平伝熱管２，２・・・、２，２・・・に対応する部分を切り欠いて上記扁平伝熱管２，２・・・、２，２・・・に対応する部分よりも外側の上記扁平伝熱管２，２・・・、２，２・・・を介さずに隣合う縁部４ｂ，４ｂ・・・同士を相互に連続させることにより、凝縮水の排出通路を形成したことを特徴としている。
【００１７】
このような構成によると、複数列の扁平伝熱管２，２・・・の幅よりも相対的に幅が広く、扁平伝熱管２，２・・・よりも外側の相互に連続する隣り合うコルゲートフィン４，４・・・の縁部４ｂ，４ｂ・・・上に凝縮水が落ち、同縁部４ｂ，４ｂ・・・を介してドレンパン上にスムーズに排出されるようになる。
【００１８】
したがって、前述のように、上記空気熱交換器１を蒸発器として利用したような場合にも、凝縮水の排出性能がよくなり、圧損が低下するとともに熱伝達性能が向上する。
【００１９】
その結果、当該空気熱交換器１の大きさが大きい時はもちろん、小型化した時にも有効に空気側の伝熱性能を向上させることができる。
【００２０】
（３）  請求項３の発明
この発明の空気熱交換器は、上記請求項１又は２の発明において、扁平伝熱管２，２・・・の幅よりも相対的に幅が広くなることにより形成されたコルゲートフィン４，４・・・の扁平伝熱管２，２・・・よりも外側に位置する縁部４ｂ，４ｂ・・・は、当該コルゲートフィン４，４・・・の空気流の下流側にのみ設けられていることを特徴としている。
【００２１】
上記構成の空気熱交換器を扁平伝熱管２，２・・・部分を水平にして蒸発器として使用した場合、各段のコルゲートフィン４，４・・・の波形の底部の全体に凝縮水が滞留するが、この凝縮水は空気流に押されて空気流下流側に集まる。
【００２２】
したがって、上記扁平伝熱管２，２・・・の幅よりも幅が広くなることにより形成されたコルゲートフィン４，４・・・の扁平伝熱管２，２・・・よりも外側に位置する縁部４ｂ，４ｂ・・・は、空気流の下流側にのみ設けられていれば、凝縮水の排出が可能であり、有効に空気側熱伝達性能の向上に寄与する。
【００２３】
（４）  請求項４の発明
この発明の空気熱交換器は、上記請求項１又は２の発明において、扁平伝熱管２，２・・・の幅よりも相対的に幅が広くなることにより形成されたコルゲートフィン４，４・・・の扁平伝熱管２，２・・・よりも外側に位置する縁部４ｂ，４ｂ・・・は、当該コルゲートフィン４，４・・・の空気流の上流側と下流側の両方に設けられていることを特徴としている。
【００２４】
上記構成の空気熱交換器を扁平伝熱管２，２・・・部分を水平にして蒸発器として使用した場合、各段のコルゲートフィン４，４・・・の波形の底部の全体に凝縮水が滞留し、この凝縮水は空気流に押されて空気流下流側に多く集まる。
【００２５】
しかし、凝縮水が多い場合や風量が小さい場合などには、やはり空気流上流側にも滞留する。
【００２６】
したがって、上記扁平伝熱管２，２・・・の幅よりも相対的に幅が広くなることにより形成されたコルゲートフィン４，４・・・の扁平伝熱管２，２・・・よりも外側に位置する縁部４ｂ，４ｂ・・・は、空気流の上流側と下流側の両方に設けられている方が、より効果的な凝縮水の排出が可能であり、より有効に空気側熱伝達性能の向上に寄与する。
【発明の効果】
【００２７】
以上の結果、この出願の発明の空気熱交換器によると、コルゲートフィンと扁平伝熱管の相対的な大きさを変更するのみの簡単かつ低コストな構成で、しかも熱伝達性能の高い、軽量でコンパクトな空気調和機に適した扁平伝熱管およびコルゲートフィンを備えた空気熱交換器を提供することが可能となる。
【発明を実施するための最良の形態】
【００２８】
（最良の実施の形態１）
図１および図２は、この出願の発明の最良の実施の形態１に係る扁平伝熱管およびコルゲートフィンを備えた空気熱交換器の扁平伝熱管とコルゲートフィン部分の構造を示している。
【００２９】
この実施の形態の空気熱交換器１も、その基本的な構成としては、前述の図５のものと同様に、冷媒が導入、導出される上下方向に延びるアルミ製の左右両ヘッダ３Ａ，３Ｂと、該左右両ヘッダ３Ａ，３Ｂの間に連通状態で、かつ相互に所定の間隔を保ってヘッダの長手方向（上下方向）に並設された複数本のアルミ製の扁平伝熱管２，２・・・と、該複数本の扁平伝熱管２，２・・・の間に位置して、左右両方向に連続するように配設され、その各屈曲面の外端を対応する上下両隣りの扁平伝熱管２，２・・・の扁平面に熱溶着されたアルミ製のコルゲートフィン４，４・・・とからなっている（前述の図５の構成を参照）。
【００３０】
上記扁平伝熱管２，２・・・は、例えば図１に示すように、上記左右両ヘッダ３Ａ，３Ｂの直径に対応した所定の幅を有し、その内側長手方向に多数の冷媒流通穴２ａ，２ａ・・・を有する多孔管構造となっており、上記一方側（右側）ヘッダ３Ａの上段側冷媒供給部３Ａ1を介して外部より導入分配された冷媒を上段側扁平伝熱管２，２・・・の各冷媒流通穴２ａ，２ａ・・・に均等に流し、同状態において上記コルゲートフィン４，４・・・を介して広伝熱面積で内部の冷媒と外部の空気との間で効率良く熱交換を行うようになっている。
【００３１】
また他方側（左側）ヘッダ３Ｂを介して返流分配される冷媒は下段側扁平伝熱管２，２・・・の各冷媒流通穴２ａ，２ａ・・・を均等に流れ、同状態において上記コルゲートフィン４，４・・・を介して広伝熱面積で内部の冷媒と外部の空気との間で効率良く熱交換を行うようになっている。そして、その後、上記下段側扁平伝熱管２，２・・・を出た冷媒は上記一方側（右側）ヘッダ３Ａの下段側冷媒導出部３Ａ2を介して以後の回路に流出する。
【００３２】
上記コルゲートフィン４，４・・・は、その屈曲部（折り曲げ部）を除く扁平面部分であって、加工上形成される中央の扁平面を中心として空気流の上流側部分と下流側部分の各々に空気との伝熱効率を向上させるための複数の切起し片（ルーバー）４ａ，４ａ・・・がそれぞれ空気の流れ方向に対する傾斜方向を逆にして形成されている。
【００３３】
ところで、上記コルゲートフィン４，４・・・の空気側伝熱性能を向上させるためには、そのフィン面部分の空気流に対する圧損が小さく、熱伝達率が高いことが必要である。
【００３４】
その場合、上記コルゲートフィン４，４・・・の配設ピッチ（波形間隔）を大きくすると風は通しやすくなり、圧損は小さくなるが、配設ピッチが大きいと、当該フィンの前縁効果を十分に活用することができなくなるために、逆に熱伝達率は悪くなる。
【００３５】
他方、上記コルゲートフィン４，４・・・の配設ピッチを小さくして行くと、当該コルゲートフィン４，４・・・の前縁効果を活用できるようになる反面、切り起し片４ａ，４ａ・・・の高さ、切り起し片４ａ，４ａ・・・間の間隔が小さくなり、各切り起し片４ａ，４ａ・・・間に空気が流れにくくなるので、圧損が増大する。
【００３６】
したがって、上記コルゲートフィン４，４・・・の配設ピッチは、これらの事情を考慮して適切な値に設定される。
【００３７】
そして、上記扁平伝熱管２，２・・・およびコルゲートフィン４，４・・・を備えたフィンチューブ式の熱交換器１では、さらに図５のように、上記扁平伝熱管２，２・・・を横向き（水平）に設置した場合には、すでに説明したようにコルゲートフィン４，４・・・表面の凝縮水がはけにくいために、蒸発器として利用した場合に、より空気側の圧力損失が増大して、性能が低下する問題がある。
【００３８】
この問題は、上記空気熱交換器１の大きさが小さくなるほど顕著となり、設計条件が厳しくなる。
【００３９】
したがって、空気熱交換器１の大きさが小さくなるほど、上記コルゲートフィン４，４・・・のフィン面に滞留する凝縮水の圧損の増大に対する影響もより大になる。
【００４０】
そこで、本実施の形態の空気熱交換器１は、このような問題を解決するために、例えば図１、図２に示すように、上記コルゲートフィン４，４・・・の幅Ｗ1を上記扁平伝熱管２，２・・・の幅Ｗ2よりも大きく形成する一方、同コルゲートフィン４，４・・・の上記扁平伝熱管２，２・・・に対応する部分（接触する部分）を外側の縁部４ｂ，４ｂ・・・部分を残して上記扁平伝熱管２，２・・・の厚さｔの１／２程度切り欠いて上記扁平伝熱管２，２・・・が嵌合する凹部を形成し、扁平伝熱管２，２・・・を介さずに隣り合う当該上下コルゲートフィン４，４・・・外側の縁部４ｂ，４ｂ・・・同士を相互のフィン面がＶ字形に連続するように相互に当接させたことを特徴としている。
【００４１】
このような構成によると、扁平伝熱管２，２・・・の幅Ｗ2よりも幅Ｗ1が広くなることにより形成された相互に連続する上下コルゲートフィン４，４・・・の空気流の上流側および下流側両縁部４ｂ，４ｂ・・・のフィン面上に凝縮水が落ち、同縁部４ｂ，４ｂ・・・を介してドレンパン上にスムーズに排出されるようになる。
【００４２】
したがって、上述のように、上記空気熱交換器１を蒸発器として利用した場合にも、凝縮水の排出性能がよくなり、圧損が低下するとともに熱伝達性能が向上する。その結果、当該空気熱交換器１の大きさが大きい時はもちろん、小型化した時にも有効に空気側の伝熱性能を向上させることができる。
【００４３】
この場合、コルゲートフィン４，４・・・の幅Ｗ1を一定とし、扁平伝熱管２，２・・・の幅Ｗ2の方を小さくすることによっても同様の作用効果を得ることができる。
【００４４】
これらの結果、本実施の形態の空気熱交換器１によると、コルゲートフィン４，４・・・と扁平伝熱管２，２・・・の相対的な大きさを変更するのみの簡単かつ低コストな構成で、熱伝達性能の高い、軽量かつ小型の扁平伝熱管およびコルゲートフィンを備えたフィンチューブ式空気熱交換器を提供することが可能となる。
【００４５】
（最良の実施の形態２）
図３は、この出願の発明の最良の実施の形態２に係る扁平伝熱管およびコルゲートフィンを備えた空気熱交換器の扁平伝熱管とコルゲートフィン部分の構造を示している。
【００４６】
この実施の形態の空気熱交換器１も、その基本的な構成としては、前述の図５のものと同様に、冷媒が導入、導出される上下方向に延びるアルミ製左右両ヘッダ３Ａ，３Ｂと、該左右両ヘッダ３Ａ，３Ｂの間に連通状態で、かつ相互に所定の間隔を保ってヘッダの長手方向（上下方向）に並設された複数本のアルミ製の扁平伝熱管２，２・・・と、該複数本の扁平伝熱管２，２・・・の間に位置して、左右両方向に連続するように配設され、その各屈曲面の外端を対応する上下両隣りの扁平伝熱管２，２・・・の扁平面に熱溶着されたアルミ製のコルゲートフィン４，４・・・とからなっている（前述の図５の構成を参照）。
【００４７】
ただ、本実施の形態の場合、上記扁平伝熱管２，２・・・は、例えば図３に示すように、空気流の上流側と下流側に所定の間隔において前後２列に設けられ（２，２・・・、２，２・・・）、それら扁平伝熱管２，２・・・、２，２・・・に対して上記コルゲートフィン４，４・・・を共通な１枚のものとして構成されている。そして、上記前後２列の扁平伝熱管２，２・・・は、それぞれ上記左右両ヘッダ３Ａ，３Ｂ、３Ａ，３Ｂの直径に対応した所定の幅を有し、その内側長手方向に多数の冷媒流通穴２ａ，２ａ・・・を有する多孔管構造となっており、上記一方側（右側）ヘッダ３Ａ，３Ａの上段側冷媒供給部３Ａ1，３Ａ1を介して外部より導入分配された冷媒を上段側扁平伝熱管２，２・・・、２，２・・・の各冷媒流通穴２ａ，２ａ・・・、２ａ，２ａ・・・に均等に流し、同状態において上記コルゲートフィン４，４・・・を介して広伝熱面積で内部の冷媒と外部の空気との間で効率良く熱交換を行うようになっている。
【００４８】
また他方側（左側）ヘッダ３Ｂ，３Ｂを介して返流分配される冷媒は下段側扁平伝熱管２，２・・・、２，２・・・の各冷媒流通穴２ａ，２ａ・・・、２ａ，２ａ・・・を均等に流れ、同状態において上記コルゲートフィン４，４・・・を介して広伝熱面積で内部の冷媒と外部の空気との間で効率良く熱交換を行うようになっている。そして、その後、上記下段側扁平伝熱管２，２・・・、２，２・・・を出た冷媒は上記一方側（右側）ヘッダ３Ａ，３Ａの下段側冷媒導出部３Ａ2，３Ａ2を介して以後の回路に流出する。
【００４９】
上記コルゲートフィン４，４・・・は、その屈曲部（折り曲げ部）を除く扁平面部分であって、加工上形成される中央の扁平面を中心として空気流の上流側部分と下流側部分の各々に空気との伝熱効率を向上させるための複数の切起し片（ルーバー）４ａ，４ａ・・・がそれぞれ空気の流れ方向に対する傾斜方向を逆にして形成されている。
【００５０】
ところで、前述のように上記コルゲートフィン４，４・・・の空気側伝熱性能を向上させるためには、そのフィン面部分の空気流に対する圧損が小さく、熱伝達率が高いことが必要である。
【００５１】
その場合、上記コルゲートフィン４，４・・・の配設ピッチを大きくすると風は通しやすくなり、圧損は小さくなるが、配設ピッチが大きいと、当該フィンの前縁効果を十分に活用することができなくなるために、逆に熱伝達率は悪くなる。他方、上記フィンの配設ピッチを小さくして行くと、当該フィンの前縁効果を活用できるようになる反面、切り起し片４ａ，４ａ・・・の高さ、切り起し片４ａ，４ａ・・・間の間隔が小さくなり、各切り起し片４ａ，４ａ・・・間に空気が流れにくくなるので、圧損が増大する。
【００５２】
そして、上記のように複数列の扁平伝熱管２，２・・・、２，２・・・およびそれらに共通なコルゲートフィン４，４・・・を備えたフィンチューブ式の熱交換器１でも、図５のように、上記扁平伝熱管２，２・・・を横向き（水平）に設置した場合にはコルゲートフィン４，４・・・表面の凝縮水がはけにくいために、蒸発器として利用した場合に、より空気側の圧力損失が増大して、性能が低下する。
【００５３】
これらの問題は、上記空気熱交換器１の大きさが小さくなるほど顕著となり、設計条件が厳しくなる。
【００５４】
したがって、空気熱交換器１の大きさが小さくなるほど、上記コルゲートフィン４，４・・・のフィン面に滞留する凝縮水の圧損の増大に対する影響もより大になる。
【００５５】
そこで、本実施の形態の空気熱交換器１は、このような問題を解決するために、例えば図３に示すように、上記コルゲートフィン４，４・・・の全体の幅Ｗ1を上記複数列の扁平伝熱管２，２・・・の前後方向の配列幅Ｗ2よりも大きく形成する一方、上記前後に２本以上並設された複数列の扁平伝熱管２，２・・・、２，２・・・に対して上記コルゲートフィン４，４・・・を共通な１枚のものとし、かつ上記共通なコルゲートフィン４，４・・・の上記各扁平伝熱管２，２・・・、２，２・・・に対応する部分（接触する部分）を空気流の上流側と下流側各外側の縁部４ｂ，４ｂ・・・部分を除いて上記各扁平伝熱管２，２・・・の厚さｔの１／２程度切り欠いて上記扁平伝熱管２，２・・・を介さずに上下方向に隣合う当該上下コルゲートフィン４，４・・・外側の縁部４ｂ，４ｂ・・・、４ｂ，４ｂ・・・、４ｂ，４ｂ・・・同士を相互のフィン面がＶ字形に連続するように相互に当接させて凝縮水排出通路を形成したことを特徴としている。
【００５６】
このような構成によると、前後複数列の扁平伝熱管２，２・・・の配列幅Ｗ2よりも全体の幅Ｗ1が広いことにより形成された相互に連続する上下コルゲートフィン４，４・・・の前後両縁部４ｂ，４ｂ・・・、４ｂ，４ｂ・・・、４ｂ，４ｂ・・・上に凝縮水が落ち、同縁部４ｂ，４ｂ・・・、４ｂ，４ｂ・・・、４ｂ，４ｂ・・・を介してドレンパン上にスムーズに排出されるようになる。
【００５７】
したがって、やはり上述のように、上記空気熱交換器１を蒸発器として利用した場合にも、凝縮水の排出性能がよくなり、圧損が低下するとともに熱伝達性能が向上する。その結果、当該空気熱交換器１の大きさが大きい時はもちろん、小型化した時にも有効に空気側の伝熱性能を向上させることができる。
【００５８】
これらの結果、本実施の形態の空気熱交換器１によると、コルゲートフィン４，４・・・と扁平伝熱管２，２・・・の相対的な大きさを変更するのみの簡単かつ低コストな構成で、熱伝達性能の高い、軽量かつ小型の扁平伝熱管およびコルゲートフィンを備えたフィンチューブ式空気熱交換器を提供することが可能となる。
【００５９】
（最良の実施の形態３）
図４は、この出願の発明の最良の実施の形態３に係る扁平伝熱管およびコルゲートフィンを備えた空気熱交換器の扁平伝熱管とコルゲートフィン部分の構造を示している。
【００６０】
この実施の形態の空気熱交換器１も、図４に示すように、最良の実施の形態２の場合と同様に上記コルゲートフィン４，４・・・を前後２本の各扁平伝熱管２，２・・・、２，２・・・に共通なものし、その全体の幅Ｗ1を上記前後２列の扁平伝熱管２，２・・・、２，２・・・の配列幅Ｗ2よりも大きく形成する一方、上記扁平伝熱管２，２・・・に対応する部分（接触する部分）を上記扁平伝熱管２，２・・・の厚さｔの１／２程度切り欠いて上記扁平伝熱管２，２・・・を介することなく隣合う上下コルゲートフィン４，４・・・の縁部４ｂ，４ｂ・・・、４ｂ，４ｂ・・・同士を相互のフィン面がＶ字形に連続するように相互に当接させているが、その場合において、上記扁平伝熱管２，２・・・、２，２・・・の配列幅Ｗ2よりも幅Ｗ1が広くなることにより形成されたコルゲートフィン４，４・・・の扁平伝熱管２，２・・・、２，２・・・よりも外側に位置する縁部４ｂ，４ｂ・・・、４ｂ，４ｂ・・・を、各扁平伝熱管２，２・・・、２，２・・・の空気流の下流側にのみ設けたことを特徴としている。
【００６１】
上記構成の空気熱交換器を扁平伝熱管２，２・・・、２，２・・・部分を水平にして蒸発器として使用した場合、各段のコルゲートフィン４，４・・・の波形の底部の全体に凝縮水が滞留するが、この凝縮水は空気流に押されて空気流下流側に集まる。
【００６２】
したがって、上記扁平伝熱管２，２・・・、２，２・・・の配列幅Ｗ2よりも幅が広くなることにより形成されたコルゲートフィン４，４・・・の扁平伝熱管２，２・・・、２，２・・・よりも外側に位置する縁部４ｂ，４ｂ・・・、４ｂ，４ｂ・・・は、図４のように少なくとも各扁平伝熱管２，２・・・、２，２・・・の空気流の下流側にのみ設けられていれば、十分に凝縮の排出が可能であり、有効に空気側熱伝達性能の向上に寄与する。
【図面の簡単な説明】
【００６３】
【図１】本願発明の最良の実施の形態１に係る扁平伝熱管およびコルゲートフィンを備えた空気熱交換器の構造を示す縦断面図である。
【図２】同熱交換器の図１の状態における右側面図である。
【図３】本願発明の最良の実施の形態２に係る扁平伝熱管およびコルゲートフィンを備えた空気熱交換器の構造を示す縦断面図である。
【図４】本願発明の最良の実施の形態３に係る扁平伝熱管およびコルゲートフィンを備えた空気熱交換器の構造を示す縦断面図である。
【図５】従来の扁平伝熱管およびコルゲートフィンを備えた空気熱交換器の全体構造を示す斜視図である。
【図６】同空気熱交換器のコルゲートフィンの構造を示す斜視図である。
【図７】同空気熱交換器の扁平伝熱管およびコルゲートフィン部分の縦断面図である。
【図８】同空気熱交換器を蒸発器として使用した場合における扁平伝熱管およびコルゲートフィン部分の縦断面図（凝縮水の滞留状態を示す図）である。
【符号の説明】
【００６４】
１は熱交換器、２は扁平伝熱管、３Ａは右側ヘツダ、３Ｂは左側ヘツダ、４はコルゲートフィン、４ａは切り起し片（ルーバー）、４ｂはフィン幅を拡大した伝熱管外側部分のコルゲートフィン縁部である。
【図１】
2008101847.tif 000003
【図２】
2008101847.tif 000004
【図３】
2008101847.tif 000005
【図４】
2008101847.tif 000006
【図５】
2008101847.tif 000007
【図６】
2008101847.tif 000008
【図７】
2008101847.tif 000009
【図８】
2008101847.tif 000010